(57)【要約】【課題】包装袋からフェイスマスクを取り出して展開する時間を短縮できるフェイスマスク包装体を提供する。【解決手段】フェイスマスク包装体１において、フェイスマスク１００の収容姿勢１００Ａは、畳み領域１１０と、畳み領域１１０からそれぞれ突出する第１突出領域１２０と、第２突出領域１３０とを有する。第２突出領域１３０は、畳み領域１１０を介して第１突出領域１２０と対向して配置される。収容姿勢１００Ａは、第１突出領域１２０と第２突出領域１３０とが互いに反対方向Ｄ１、Ｄ２に離間することに応じて展開姿勢に遷移可能である。包装袋１０の第１シート部材２０は、外側から包装袋１０を挟んで持つための位置を示す標識領域２１を有する。標識領域２１は、収容姿勢１００Ａのフェイスマスク１００が包装袋１０の第１シート部材２０と第２シート部材３０との間に収容されている収容状態２において、第１突出領域１２０と厚み方向Ｄ３に重なる。【選択図】図１
2020015522.tif 000002
【特許請求の範囲】
【請求項１】
第１シート部材と、第２シート部材とを有する包装袋と、
前記包装袋に収容されるための収容姿勢と、前記収容姿勢から展開された展開姿勢との間を遷移するフェイスマスクと
を備え、
前記第１シート部材は、前記第２シート部材と対向して配置され、前記第１シート部材の厚み方向に前記第２シート部材と重なり合い、
前記収容姿勢は、畳まれた領域を示す畳み領域と、前記畳み領域から突出する第１突出領域と、前記畳み領域から突出する第２突出領域とを有し、
前記第２突出領域は、前記畳み領域を介して前記第１突出領域と対向して配置され、
前記収容姿勢は、前記第１突出領域と前記第２突出領域とが互いに反対方向に離間することに応じて前記展開姿勢に遷移可能であり、
前記第１シート部材は、前記包装袋の外側から前記包装袋を挟んで持つための位置を示す標識領域を有し、
前記標識領域は、収容状態において前記第１突出領域と前記厚み方向に重なり、
前記収容状態は、前記収容姿勢の前記フェイスマスクが前記第１シート部材と前記第２シート部材との間に収容されている状態を示す、フェイスマスク包装体。
【請求項２】
前記第１シート部材は、前記第１シート部材の周縁の領域を示す第１周縁領域を有し、
前記第２シート部材は、前記第２シート部材の周縁の領域を示す第２周縁領域を有し、
前記第１周縁領域と前記第２周縁領域とは、互いに重なり合うように配置されて、取出し構造と、底部とを形成し、
前記取出し構造は、前記包装袋から前記フェイスマスクを取り出し可能な構造であり、
前記底部は、開閉不可能に閉じられた底であり、前記取出し構造と対向して配置され、
前記標識領域は、前記取出し構造よりも前記底部の近くに配置され、
前記収容状態において、前記第２突出領域は、前記底部よりも前記取出し構造の近くに配置される、請求項１に記載のフェイスマスク包装体。
【請求項３】
前記取出し構造と、前記底部との間隔は、前記反対方向に沿った方向における前記収容姿勢の幅に対応する、請求項２に記載のフェイスマスク包装体。
【請求項４】
前記標識領域の外観は、前記第１シート部材の全体領域のうち前記標識領域が配置されていない領域の外観と異なる、請求項１から請求項３のいずれか１項に記載のフェイスマスク包装体。
【請求項５】
前記標識領域の外表面に対する触感は、前記第１シート部材の全体領域のうち前記標識領域が配置されていない領域の外表面に対する触感と異なる、請求項１から請求項４のいずれか１項に記載のフェイスマスク包装体。
【請求項６】
前記標識領域の内表面は、前記第１シート部材の全体領域のうち前記標識領域が配置されていない領域の内表面よりも高い摩擦力を有する、請求項１から請求項５のいずれか１項に記載のフェイスマスク包装体。
【請求項７】
前記標識領域は、前記第１突出領域の形状に対応する形状を有する、請求項１から請求項６のいずれか１項に記載のフェイスマスク包装体。
【請求項８】
第１方向における前記第１突出領域の第１幅は、第２方向における前記第２突出領域の第２幅よりも長く、
前記第１方向は、前記第１突出領域が前記畳み領域から突出する突出方向に沿った方向を示し、
前記第２方向は、前記第２突出領域が前記畳み領域から突出する突出方向に沿った方向を示す、請求項１から請求項７のいずれか１項に記載のフェイスマスク包装体。
【請求項９】
前記標識領域は、第１標識領域であり、
前記第２シート部材は、第２標識領域を含み、
前記第２標識領域は、前記包装袋の前記外側から前記包装袋を挟んで持つための位置を示し、
前記第２標識領域は、前記第１標識領域と前記厚み方向に重なる、請求項１から請求項８のいずれか１項に記載のフェイスマスク包装体。
【請求項１０】
前記第１シート部材は、矩形状であり、
前記第２シート部材は、矩形状である、請求項１から請求項９のいずれか１項に記載のフェイスマスク包装体。
【発明の詳細な説明】
【技術分野】
【０００１】
本発明は、フェイスマスク包装体に関する。
【背景技術】
【０００２】
上部シートと、底部シートと、フェイスマスクシートとを備える美容シート包装体が知られている。このような美容シート包装体として、特許文献１に記載の美容シート包装体は、上部シートと底部シートとの間にフェイスマスクシートを収容する。特許文献１に記載の美容シート包装体では、上部シートの端部同士が剥離可能に接着されている。特許文献１に記載の美容シート包装体によれば、上部シートの端部同士を剥離して上部シートを広げると、美容シート包装体からフェイスマスクシートを取り出すことができる。
【先行技術文献】
【特許文献】
【０００３】
【特許文献１】特表２０１３−５１２１５４号公報
【発明の概要】
【発明が解決しようとする課題】
【０００４】
しかしながら、特許文献１に記載の美容シート包装体では、美容シート包装体から取り出されたフェイスマスクシートは、折り畳まれたままの状態であり、一切展開されていない。従って、フェイスマスクシートを取り出した後に、更にフェイスマスクシートを展開する工数を要する。その結果、美容シート包装体からフェイスマスクシートを取り出して展開する時間を短縮することが困難であった。
【０００５】
本発明は上記課題に鑑みてなされたものであり、包装袋からフェイスマスクを取り出して展開する時間を短縮できるフェイスマスク包装体を提供することを目的とする。
【課題を解決するための手段】
【０００６】
本発明に係るフェイスマスク包装体は、包装袋と、フェイスマスクとを備える。前記包装袋は、第１シート部材と、第２シート部材とを有する。前記フェイスマスクは、前記包装袋に収容されるための収容姿勢と、前記収容姿勢から展開された展開姿勢との間を遷移する。前記第１シート部材は、前記第２シート部材と対向して配置され、前記第１シート部材の厚み方向に前記第２シート部材と重なり合う。前記収容姿勢は、畳まれた領域を示す畳み領域と、前記畳み領域から突出する第１突出領域と、前記畳み領域から突出する第２突出領域とを有する。前記第２突出領域は、前記畳み領域を介して前記第１突出領域と対向して配置される。前記収容姿勢は、前記第１突出領域と前記第２突出領域とが互いに反対方向に離間することに応じて前記展開姿勢に遷移可能である。前記第１シート部材は、前記包装袋の外側から前記包装袋を挟んで持つための位置を示す標識領域を有する。前記標識領域は、収容状態において前記第１突出領域と前記厚み方向に重なる。前記収容状態は、前記収容姿勢の前記フェイスマスクが前記第１シート部材と前記第２シート部材との間に収容されている状態を示す。
【０００７】
ある実施形態において、前記第１シート部材は、前記第１シート部材の周縁の領域を示す第１周縁領域を有する。前記第２シート部材は、前記第２シート部材の周縁の領域を示す第２周縁領域を有する。前記第１周縁領域と前記第２周縁領域とは、互いに重なり合うように配置されて、取出し構造と、底部とを形成する。前記取出し構造は、前記包装袋から前記フェイスマスクを取り出し可能な構造である。前記底部は、開閉不可能に閉じられた底であり、前記取出し構造と対向して配置される。前記標識領域は、前記取出し構造よりも前記底部の近くに配置される。前記収容状態において、前記第２突出領域は、前記底部よりも前記取出し構造の近くに配置される。
【０００８】
ある実施形態において、前記取出し構造と、前記底部との間隔は、前記反対方向に沿った方向における前記収容姿勢の幅に対応する。
【０００９】
ある実施形態において、前記標識領域の外観は、前記第１シート部材の全体領域のうち前記標識領域が配置されていない領域の外観と異なる。
【００１０】
ある実施形態において、前記標識領域の外表面に対する触感は、前記第１シート部材の全体領域のうち前記標識領域が配置されていない領域の外表面に対する触感と異なる。
【００１１】
ある実施形態において、前記標識領域の内表面は、前記第１シート部材の全体領域のうち前記標識領域が配置されていない領域の内表面よりも高い摩擦力を有する。
【００１２】
ある実施形態において、前記標識領域は、前記第１突出領域の形状に対応する形状を有する。
【００１３】
ある実施形態において、第１方向における前記第１突出領域の第１幅は、第２方向における前記第２突出領域の第２幅よりも長い。前記第１方向は、前記第１突出領域が前記畳み領域から突出する突出方向に沿った方向を示す。前記第２方向は、前記第２突出領域が前記畳み領域から突出する突出方向に沿った方向を示す。
【００１４】
ある実施形態において、前記標識領域は、第１標識領域である。前記第２シート部材は、第２標識領域を含む。前記第２標識領域は、前記包装袋の前記外側から前記包装袋を挟んで持つための位置を示す。前記第２標識領域は、前記第１標識領域と前記厚み方向に重なる。
【００１５】
ある実施形態において、前記第１シート部材は、矩形状である。前記第２シート部材は、矩形状である。
【発明の効果】
【００１６】
本発明のフェイスマスク包装体によれば、包装袋からフェイスマスクを取り出して展開する時間を短縮できる。
【図面の簡単な説明】
【００１７】
【図１】（ａ）は、本発明の実施形態に係るフェイスマスク包装体を示す図であり、（ｂ）は、フェイスマスク包装体を示すＩＢ−ＩＢ断面図である。
【図２】（ａ）及び（ｂ）は、フェイスマスク包装体を示す図である。
【図３】（ａ）は、展開姿勢のフェイスマスクを示す平面図であり、（ｂ）は、（ａ）の底面図である。
【図４】（ａ）は、展開姿勢のフェイスマスクを示す平面図であり、（ｂ）は、（ａ）の底面図である。
【図５】（ａ）は、展開姿勢のフェイスマスクを示す平面図であり、（ｂ）は、（ａ）の底面図である。
【図６】（ａ）は、収容姿勢のフェイスマスクを示す平面図であり、（ｂ）は、（ａ）の底面図である。
【図７】（ａ）及び（ｂ）は、フェイスマスク包装体を示す図である。
【図８】（ａ）は、フェイスマスク包装体を示す図であり、（ｂ）は、展開姿勢のフェイスマスクを示す図である。
【図９】（ａ）及び（ｂ）は、フェイスマスク包装体を示す図である。
【図１０】（ａ）及び（ｂ）は、フェイスマスク包装体を示す図である。
【図１１】フェイスマスク包装体を示す図である。
【図１２】（ａ）は、フェイスマスク包装体を示す図であり、（ｂ）は、フェイスマスク包装体の一部を示すＸＩＩＢ−ＸＩＩＢ断面図である。
【発明を実施するための形態】
【００１８】
以下、本発明の実施形態について、図面を参照しながら説明する。なお、図中、同一又は相当部分については同一の参照符号を付して説明を繰り返さない。
【００１９】
図１を参照して、本発明のフェイスマスク包装体１の実施形態を説明する。図１（ａ）は、フェイスマスク包装体１を示す図である。図１（ｂ）は、フェイスマスク包装体１を示すＩＢ−ＩＢ断面図である。
【００２０】
図１（ａ）に示すように、フェイスマスク包装体１は、フェイスマスク１００と、包装袋１０とを備える。フェイスマスク包装体１において、例えば、包装袋１０は、フェイスマスク１００を収容して、不図示の美容液又は化粧水を充填して密封されている。
【００２１】
フェイスマスク１００は、例えば、顔面をパックするためのマスクである。フェイスマスク１００には、美容液又は化粧水が含侵される。フェイスマスク１００のシート基材は、例えば、合成繊維による織布、又は不織布である。フェイスマスク１００は、単層構造でもよいし、積層構造でもよい。
【００２２】
フェイスマスク１００は、収容姿勢１００Ａと、展開姿勢との間を遷移する。収容姿勢１００Ａは、包装袋１０に収容されるための姿勢を示す。収容姿勢１００Ａは、例えば、Ｚ折りされたフェイスマスク１００の姿勢である。
【００２３】
収容姿勢１００Ａは、畳み領域１１０と、第１突出領域１２０と、第２突出領域１３０とを有する。畳み領域１１０は、畳まれた領域を示す。畳み領域１１０は、例えば、Ｚ折りされた領域を含む。畳み領域１１０は、例えば、略横長矩形状である。
【００２４】
第１突出領域１２０は、畳み領域１１０から突出方向Ｄ１に向けて突出する。突出方向Ｄ１は、第１突出領域１２０が畳み領域１１０から突出する方向を示す。第１突出領域１２０は、例えば、２重に重なった領域である。第１突出領域１２０は、例えば、横長略三角形状、又は横長略扇形状である。
【００２５】
第２突出領域１３０は、畳み領域１１０から突出方向Ｄ２に向けて突出する。突出方向Ｄ２は、第２突出領域１３０が畳み領域１１０から突出する方向を示す。第２突出領域１３０は、例えば、２重に重なった領域である。第２突出領域１３０は、例えば、横長略三角形状、又は横長略扇形状である。突出方向Ｄ１と突出方向Ｄ２とは、互いに反対方向を示す。以下、突出方向Ｄ１及び突出方向Ｄ２の各々を、「反対方向Ｄ１」、「反対方向Ｄ２」とそれぞれ記載することがある。第２突出領域１３０は、畳み領域１１０を介して第１突出領域１２０と対向して配置される。例えば、第２突出領域１３０は、畳み領域１１０の長手方向に沿って延びる中線について第１突出領域１２０と略線対称に配置される。
【００２６】
収容姿勢１００Ａは、第１突出領域１２０と第２突出領域１３０とが互いに反対方向に離間することに応じて展開姿勢に遷移可能である。例えば、ユーザーは、右手で第１突出領域１２０を、左手で第２突出領域１３０をそれぞれ摘み、第１突出領域１２０を突出方向Ｄ１へ、第２突出領域１３０を突出方向Ｄ２へそれぞれ同時に引っ張ることができる。このように第１突出領域１２０と第２突出領域１３０とを引っ張ることにより、収容姿勢１００Ａは、展開姿勢に遷移し得る。
【００２７】
展開姿勢は、収容姿勢１００Ａから展開された姿勢を示す。展開姿勢は、各種の展開姿勢を含む。各種の展開姿勢は、例えば、二つ折り状態である二つ折り展開姿勢、又は、折られている部分が全て展開された全展開姿勢である。ユーザーは、例えば、全展開姿勢のフェイスマスク１００を顔面に装着する。なお、展開姿勢の詳細については、図３〜図８を参照して後述する。
【００２８】
包装袋１０は、フェイスマスク１００を包装するための袋状部材である。包装袋１０は、例えば、アルミ袋である。包装袋１０は、例えば、縦１４５ｃｍ、横１２０ｃｍの矩形状である。なお、包装袋１０は、例えば、多角形状であってもよいし、楕円形状であってもよい。
【００２９】
包装袋１０は、第１シート部材２０と、第２シート部材３０とを有する。第１シート部材２０は、例えば、合成樹脂層とアルミ層との多層ラミネートシートである。第１シート部材２０は、例えば、矩形状又は多角形状である。第１シート部材２０は、標識領域２１を有する。標識領域２１は、包装袋１０の外側から包装袋１０を挟んで持つための位置を示す。標識領域２１は、「第１標識領域」の一例に相当する。
【００３０】
図１（ｂ）に示すように、第１シート部材２０は、第２シート部材３０と対向して配置される。第１シート部材２０は、第１シート部材２０の厚み方向Ｄ３に第２シート部材３０と重なり合う。標識領域２１は、収容状態２において、フェイスマスク１００の第１突出領域１２０と厚み方向Ｄ３に重なる。収容状態２は、収容姿勢１００Ａのフェイスマスク１００が第１シート部材２０と第２シート部材３０との間に収容されている状態を示す。
【００３１】
第２シート部材３０は、第１シート部材２０と同様に、例えば、合成樹脂層とアルミ層との多層ラミネートシートである。第２シート部材３０は、例えば、矩形状又は多角形状である。第２シート部材３０の外周の形状は、例えば、第１シート部材２０の外周の形状と略同一である。なお、第２シート部材３０は、例えば、第１シート部材２０と連続する１枚のシート状に構成されていてもよい。
【００３２】
以上、図１を参照して説明したように、本実施形態によれば、フェイスマスク包装体１は、包装袋１０と、フェイスマスク１００とを備える。包装袋１０は、第１シート部材２０と、第２シート部材３０とを有する。フェイスマスク１００の収容姿勢１００Ａは、畳み領域１１０と、第１突出領域１２０と、第２突出領域１３０とを有する。第２突出領域１３０は、畳み領域１１０を介して第１突出領域１２０と対向して配置される。収容姿勢１００Ａは、第１突出領域１２０と第２突出領域１３０とが互いに反対方向に離間することに応じて展開姿勢に遷移可能である。第１シート部材２０は、包装袋１０の外側から包装袋１０を挟んで持つための位置を示す標識領域２１を有する。標識領域２１は、収容状態２において第１突出領域１２０と厚み方向Ｄ３に重なる。これにより、ユーザーは、包装袋１０の外側から標識領域２１を挟むように押圧して、第１突出領域１２０を包装袋１０の外側から挟んで持つことができる。このため、包装袋１０を開封してフェイスマスク１００を取り出す際、第１突出領域１２０を包装袋１０の外側から挟んで持ちながら、第２突出領域１３０を摘んで引っ張り出すことができる。従って、ユーザーは、包装袋１０からフェイスマスク１００を取り出す操作と、フェイスマスク１００を展開する操作とを兼ねることができる。その結果、包装袋１０からフェイスマスク１００を取り出して展開する時間を短縮できる。
【００３３】
なお、第１シート部材２０と第２シート部材３０とは、それぞれ矩形状であることが好ましい。これにより、収容状態２において、包装袋１０内でフェイスマスク１００が回転移動することを低減できる。従って、収容状態２において、標識領域２１と第１突出領域１２０との重なり合いがずれることを低減できる。その結果、ユーザーが包装袋１０の外側から第１突出領域１２０を挟んで持ち損なうことを抑制できる。
【００３４】
続いて、図２を参照して、フェイスマスク包装体１の構成の詳細を説明する。図２（ａ）及び（ｂ）は、フェイスマスク包装体１を示す図である。なお、図２（ａ）は、収容状態２のフェイスマスク包装体１を第１シート部材２０の外表面側から正面視した状態を示す。図２（ｂ）は、収容状態２のフェイスマスク包装体１を第２シート部材３０の外表面側から正面視した状態を示す。
【００３５】
図２（ａ）に示すように、第１シート部材２０は、第１周縁領域２２を有する。第１周縁領域２２は、第１シート部材２０の周縁の領域を示す。詳細には、第１周縁領域２２は、第１部分周縁領域２２Ａと、第２部分周縁領域２２Ｂと、第３部分周縁領域２２Ｃと、第４部分周縁領域２２Ｄとを含む。第１部分周縁領域２２Ａと第２部分周縁領域２２Ｂと第３部分周縁領域２２Ｃと第４部分周縁領域２２Ｄとの各々は、第１周縁領域２２のうちの部分領域をそれぞれ示し、例えば、矩形状の第１シート部材２０の各辺に対応する。第１部分周縁領域２２Ａは、第２部分周縁領域２２Ｂと対向して配置される。第３部分周縁領域２２Ｃは、第４部分周縁領域２２Ｄと対向して配置される。
【００３６】
図２（ｂ）に示すように、第２シート部材３０は、第２周縁領域３２を有する。第２周縁領域３２は、第２シート部材３０の周縁の領域を示す。詳細には、第２周縁領域３２は、第５部分周縁領域３２Ａと、第６部分周縁領域３２Ｂと、第７部分周縁領域３２Ｃと、第８部分周縁領域３２Ｄとを含む。第５部分周縁領域３２Ａと第６部分周縁領域３２Ｂと第７部分周縁領域３２Ｃと第８部分周縁領域３２Ｄとの各々は、第２周縁領域３２のうちの部分領域をそれぞれ示し、例えば、矩形状の第２シート部材３０の各辺に対応する。第５部分周縁領域３２Ａは、第６部分周縁領域３２Ｂと対向して配置される。第７部分周縁領域３２Ｃは、第８部分周縁領域３２Ｄと対向して配置される。
【００３７】
図２（ａ）及び（ｂ）に示すように、第１周縁領域２２と第２周縁領域３２とは、互いに対向して配置される。詳細には、第１周縁領域２２と第２周縁領域３２とは、互いに接着されたシール領域を含む。第１部分周縁領域２２Ａ、第２部分周縁領域２２Ｂ、第３部分周縁領域２２Ｃ、及び第４部分周縁領域２２Ｄの各々は、第５部分周縁領域３２Ａ、第６部分周縁領域３２Ｂ、第７部分周縁領域３２Ｃ、及び第８部分周縁領域３２Ｄにそれぞれ対向して配置される。
【００３８】
第１周縁領域２２と第２周縁領域３２とは、互いに重なり合うように配置されて、取出し構造１１と、底部１２とを形成する。詳細には、第１周縁領域２２は、第２周縁領域３２と接続する。取出し構造１１は、包装袋１０からフェイスマスク１００を取り出し可能な構造である。具体的には、取出し構造１１は、切り口又は線ファスナーを含み得る。切り口は、包装袋１０を開封可能であり、例えば、三角形状に切り欠かれている。線ファスナーは、包装袋１０を開閉可能であり、例えば、ジッパーである。第１部分周縁領域２２Ａと第５部分周縁領域３２Ａとは、互いに重なり合って配置されて取出し構造１１を構成する。
【００３９】
底部１２は、開閉不可能に閉じられた底である。底部１２は、取出し構造１１と対向して配置される。具体的には、第２部分周縁領域２２Ｂと第６部分周縁領域３２Ｂとは、互いに重なり合って配置されて底部１２を構成する。
【００４０】
標識領域２１は、取出し構造１１よりも底部１２の近くに配置される。具体的には、標識領域２１と第２部分周縁領域２２Ｂとの間隔Ｃ１は、標識領域２１と第１部分周縁領域２２Ａとの間隔Ｃ２よりも短い。
【００４１】
収容状態２において、第２突出領域１３０は、底部１２よりも取出し構造１１の近くに配置される。具体的には、収容状態２において、第２突出領域１３０と取出し構造１１との間隔Ｃ３は、第２突出領域１３０と底部１２との間隔Ｃ４よりも短い。
【００４２】
以上、図２を参照して説明したように、本実施形態によれば、標識領域２１は、取出し構造１１よりも底部１２の近くに配置されることが好ましい。さらに、収容状態２において、第２突出領域１３０は、底部１２よりも取出し構造１１の近くに配置されることが好ましい。これにより、包装袋１０からフェイスマスク１００を取り出す際、ユーザーは、取出し構造１１を介して第１シート部材２０と第２シート部材３０との間に手指を差し入れることができる。従って、ユーザーは、第１突出領域１２０を包装袋１０の外側から挟んで持ちながら、短いアクセス距離で第２突出領域１３０を摘むことができる。その結果、包装袋１０からフェイスマスク１００を取り出して展開する時間を更に短縮できる。
【００４３】
続いて、図１と図２とを参照しつつ、図３〜図９を更に参照して、フェイスマスク１００の収容姿勢１００Ａと展開姿勢１００Ｂとの詳細について説明する。図３（ａ）と図４（ａ）と図５（ａ）とは、展開姿勢１００Ｂのフェイスマスク１００を示す平面図である。図６（ａ）は、収容姿勢１００Ａのフェイスマスク１００を示す平面図である。図３（ｂ）と図４（ｂ）と図５（ｂ）と図６（ｂ）との各々は、図３（ａ）と図４（ａ）と図５（ａ）と図６（ａ）との各々の底面図である。
【００４４】
フェイスマスク１００は、収容姿勢１００Ａと、展開姿勢１００Ｂとの間を遷移する。フェイスマスク１００は、例えば、図３、図４、図５、図６の順に折り畳まれる。展開姿勢１００Ｂは、例えば、第１展開姿勢１００Ｂ１（図３）と、第２展開姿勢１００Ｂ２（図４）と、第３展開姿勢１００Ｂ３（図５）と、第４展開姿勢１００Ｂ４（図７（ｂ））と、第５展開姿勢１００Ｂ５（図８（ａ））とを含む。
【００４５】
図３（ａ）及び（ｂ）は、第１展開姿勢１００Ｂ１を示す。第１展開姿勢１００Ｂ１は、全展開姿勢である。フェイスマスク１００は、略円形の顔面形状である。具体的には、フェイスマスク１００には、例えば、目に対応する２つの開口１０１、鼻に対応するＣ字状切込み１０２、口に対応する横長開口１０３、及び、顔面の輪郭に対応する４つの切込み１０４が形成されている。なお、フェイスマスク１００は、この形状に限られるものではなく、例えば、４つの切込み１０４を省略してもよい。なお、以下では、図３（ａ）に示すように、第１展開姿勢１００Ｂ１のフェイスマスク１００に対する正面視において、鼻筋に対する左目側及び右目側の各々を、フェイスマスク１００の「左」及び「右」とそれぞれ記載することがある。また、鼻筋と直交する直線に対する目側及び口側の各々を、フェイスマスク１００の「上」及び「下」とそれぞれ記載することがある。また、左右方向と上下方向との各々を「横」、及び「縦」とそれぞれ記載することがある。
【００４６】
フェイスマスク１００は、中央線１０６と、縦の内折り曲げ線１０７Ｌ、１０７Ｒと、縦の外折り曲げ線１０８Ｌ、１０８Ｒと、中央領域１０９Ａと、左領域１０９Ｂと、右領域１０９Ｃとを有する。なお、中央線１０６と、内折り曲げ線１０７Ｌ、１０７Ｒと、外折り曲げ線１０８Ｌ、１０８Ｒとの各々は、仮想の線を示すが、内折り曲げ線１０７Ｌ、１０７Ｒと、外折り曲げ線１０８Ｌ、１０８Ｒとは、折り目を形成していてもよい。
【００４７】
中央線１０６は、フェイスマスク１００の左右方向の幅の中央に位置し、上下方向に延びる。内折り曲げ線１０７Ｌと外折り曲げ線１０８Ｌとは、中央線１０６よりも左側の領域を３つの領域に分割しており、それぞれ上下方向に延びる。外折り曲げ線１０８Ｌは、内折り曲げ線１０７Ｌを挟んで中央線１０６と対向して配置される。内折り曲げ線１０７Ｒと外折り曲げ線１０８Ｒとは、中央線１０６よりも右側の領域を３つの領域に分割しており、それぞれ上下方向に延びる。外折り曲げ線１０８Ｒは、内折り曲げ線１０７Ｒを挟んで中央線１０６と対向して配置される。
【００４８】
フェイスマスク１００の左端部１０５Ａと外折り曲げ線１０８Ｌとの間の幅は、中央線１０６よりも左側の領域の横幅のうち３分の１以上の幅である。すなわち、左端部１０５Ａと外折り曲げ線１０８Ｌとの間の幅は、外折り曲げ線１０８Ｌと内折り曲げ線１０７Ｌとの間の幅よりも長い。
【００４９】
フェイスマスク１００の右端部１０５Ｂと外折り曲げ線１０８Ｒとの間の幅は、中央線１０６よりも右側の領域の横幅のうち３分の１以上の幅である。すなわち、右端部１０５Ｂと外折り曲げ線１０８Ｒとの間の幅は、外折り曲げ線１０８Ｒと内折り曲げ線１０７Ｒとの間の幅よりも長い。なお、右端部１０５Ｂと外折り曲げ線１０８Ｒとの間の幅と、外折り曲げ線１０８Ｒと内折り曲げ線１０７Ｒとの間の幅との差は、左端部１０５Ａと外折り曲げ線１０８Ｌとの間の幅と、外折り曲げ線１０８Ｌと内折り曲げ線１０７Ｌとの間の幅との差よりも大きいことが好ましい。
【００５０】
中央領域１０９Ａは、内折り曲げ線１０７Ｌと内折り曲げ線１０７Ｒとの間の領域を示す。左領域１０９Ｂは、内折り曲げ線１０７Ｌと左端部１０５Ａとの間の領域を示す。右領域１０９Ｃは、内折り曲げ線１０７Ｒと右端部１０５Ｂとの間の領域を示す。
【００５１】
フェイスマスク１００を第１展開姿勢１００Ｂ１から収容姿勢１００Ａへ遷移させる場合、以下の手順でフェイスマスク１００を折り畳む。
【００５２】
まず、図４（ａ）及び（ｂ）に示すように、第１展開姿勢１００Ｂ１から第２展開姿勢１００Ｂ２へ遷移するようフェイスマスク１００を折り畳む。具体的には、左領域１０９Ｂについて、内折り曲げ線１０７Ｌで内折りして、外折り曲げ線１０８Ｌで外折りする。このとき、外折り曲げ線１０８Ｌは、中央線１０６よりも僅かに左側に配置されることが好ましい。なお、内折り及び外折りの各々は、例えば、谷折り及び山折りによる折り方をそれぞれ示す。
【００５３】
次に、図５（ａ）及び（ｂ）に示すように、第２展開姿勢１００Ｂ２から第３展開姿勢１００Ｂ３へ遷移するようフェイスマスク１００を折り畳む。具体的には、右領域１０９Ｃについて、内折り曲げ線１０７Ｒで内折りした後に、外折り曲げ線１０８Ｒで外折りする。このとき、外折り曲げ線１０８Ｒは、中央線１０６よりも僅かに右側に配置されることが好ましい。このようにして、中央領域１０９Ａの左半分において、中央領域１０９Ａと左領域１０９Ｂとが３枚重ねでＺ字状に折り畳まれる。さらに、中央領域１０９Ａの右半分において、中央領域１０９Ａと右領域１０９Ｃとが３枚重ねで逆Ｚ字状に折り畳まれる。
【００５４】
左端部１０５Ａは、内折りされた外縁部１０５Ｃよりも左方向に突出する。この突出した領域は、第２突出領域１３０を構成する。また、右端部１０５Ｂは、内折りされた外縁部１０５Ｄよりも右方向に突出する。この突出した領域は、第１突出領域１２０を構成する。なお、左領域１０９Ｂと右領域１０９Ｃとを折り畳む順序は、上述の順序と逆であっても良いし、同時であっても良い。
【００５５】
第３展開姿勢１００Ｂ３は、横の折り曲げ線１０９Ｄを有する。折り曲げ線１０９Ｄは、仮想の線を示すが、折り目を形成していてもよい。折り曲げ線１０９Ｄは、フェイスマスク１００の上端と下端との中線であってもよいし、中線との平行線であってもよい。
【００５６】
次に、図６（ａ）及び（ｂ）に示すように、第３展開姿勢１００Ｂ３から収容姿勢１００Ａへ遷移するようフェイスマスク１００を折り畳む。すなわち、第３展開姿勢１００Ｂ３を横の折り曲げ線１０９Ｄで外折りする。この結果、フェイスマスク１００は、収容姿勢１００Ａへ遷移する。このとき、フェイスマスク１００の上端と下端とは、上下方向において一致していてもよいし、ずれていてもよい。
【００５７】
次に、図７と図８とを参照して、収容姿勢１００Ａを展開姿勢１００Ｂに遷移させる操作の一例について説明する。以下、収容姿勢１００Ａを展開姿勢１００Ｂに遷移させる操作を「展開操作」と記載することがある。図７（ａ）、図７（ｂ）、及び図８（ａ）は、フェイスマスク包装体１を示す図である。図８（ｂ）は、展開姿勢１００Ｂのフェイスマスク１００を示す図である。
【００５８】
図７（ａ）及び（ｂ）は、収容状態２を示す。図７（ａ）に示すように、第１突出領域１２０と第２突出領域１３０とは、ユーザーの操作に応じて互いに反対方向Ｄ１、Ｄ２に離間する。反対方向Ｄ１、Ｄ２の各々は、突出方向Ｄ１、Ｄ２にそれぞれ相当する。具体的には、ユーザーは、取出し構造１１を介して包装袋１０を開封する。ユーザーは、例えば、右指Ｕ２で標識領域２１を包装袋１０の外側から挟むように摘む。このとき、右指Ｕ２は、標識領域２１を介して第１突出領域１２０を摘むことができる。ユーザーは、右指Ｕ２で標識領域２１を介して第１突出領域１２０を摘むとともに、例えば、左指Ｕ１を包装袋１０内に差し入れて第２突出領域１３０を摘む。
【００５９】
図７（ｂ）に示すように、ユーザーは第１突出領域１２０を突出方向Ｄ１へ、第２突出領域１３０を突出方向Ｄ２へそれぞれ引っ張る。これにより、収容姿勢１００Ａは、略左右均等に展開されて、収容姿勢１００Ａから第４展開姿勢１００Ｂ４へ遷移する。第４展開姿勢１００Ｂ４は、例えば、Ｚ折りされた領域が展開される過渡期の姿勢である。
【００６０】
図８（ａ）に示すように、第１突出領域１２０を突出方向Ｄ１へ、第２突出領域１３０を突出方向Ｄ２へそれぞれ更に引っ張ると、フェイスマスク１００の上半分と下半分とは、重なり合った状態で横方向に展開される。これにより、第４展開姿勢１００Ｂ４は第５展開姿勢１００Ｂ５へ遷移する。第５展開姿勢１００Ｂ５は、二つ折り展開姿勢である。
【００６１】
図８（ｂ）に示すように、二つ折りに折られているフェイスマスク１００を開くと、展開操作が完了する。これにより、第５展開姿勢１００Ｂ５は第１展開姿勢１００Ｂ１へ遷移する。従って、展開操作の際に、フェイスマスク１００をユーザーが持ち替える回数を低減できる。その結果、ユーザーの手指が必要以上に美容液等で濡れることを抑制するとともに、包装袋１０からフェイスマスク１００を取り出して展開する時間を短縮できる。
【００６２】
なお、図９に示すように、収容姿勢１００Ａは、様々の形態を含み得る。図９（ａ）及び（ｂ）は、フェイスマスク包装体１を示す図である。例えば、図９（ａ）に示すように、収容状態２において、第３展開姿勢１００Ｂ３のフェイスマスク１００が収容姿勢１００Ａのフェイスマスク１００として包装袋１０に収容されていてもよい。また、例えば、図９（ｂ）に示すように、畳み領域１１０が更に半分に折られたフェイスマスク１００が、収容姿勢１００Ａのフェイスマスク１００として包装袋１０に収容されていてもよい。また、畳み領域１１０は、蛇腹折りで折り畳まれていてもよいし、不規則に丸められていてもよい。
【００６３】
次に、図１０〜図１２を参照して、標識領域２１の詳細を説明する。図１０（ａ）、図１０（ｂ）、図１１、及び図１２（ａ）は、フェイスマスク包装体１を示す図である。図１２（ｂ）は、フェイスマスク包装体１の一部を示すＸＩＩＢ−ＸＩＩＢ断面図である。なお、図１０では、図面が過度に複雑になることを避けるために、収容姿勢１００Ａのフェイスマスク１００を省略してフェイスマスク包装体１を示している。
【００６４】
図１０（ａ）に示すように、標識領域２１の外観は、第１シート部材２０の全体領域のうち標識領域２１が配置されていない領域２３の外観と異なることが好ましい。例えば、領域２３が銀色の無地である場合に、標識領域２１は、色彩２１Ａを有する。色彩２１Ａは、例えば、赤色、又は模様柄である。また、図１０（Ｂ）に示すように、標識領域２１は、文字情報２１Ｂを含んでいてもよい。文字情報２１Ｂは、例えば、「ここを手で押さえて下さい」のような文字を示す。これにより、ユーザーは、標識領域２１の位置を容易に視認できる。従って、包装袋１０からフェイスマスク１００を取り出して展開する時間を更に短縮できる。
【００６５】
また、標識領域２１の外表面に対する触感は、第１シート部材２０の全体領域のうち標識領域２１が配置されていない領域２３の外表面に対する触感と異なることが好ましい。例えば、領域２３の外表面に対する触感がツルツルした触感である場合に、標識領域２１の外表面に対する触感は、ザラザラした触感であってもよいし、凸凹した触感であってもよい。すなわち、例えば、領域２３の外表面が平面である場合に、標識領域２１の外表面は凹凸面を有し得る。また、標識領域２１は、第１シート部材２０の外表面に貼付されたシール部材であってもよい。これにより、ユーザーは、標識領域２１の位置を目視することなく容易に認識できる。従って、包装袋１０からフェイスマスク１００を取り出して展開する時間を更に短縮できる。
【００６６】
さらに、標識領域２１の内表面は、第１シート部材２０の全体領域のうち標識領域２１が配置されていない領域２３の内表面よりも高い摩擦力を有することが好ましい。例えば、領域２３の内表面が平面である場合に、標識領域２１の内表面は凹凸面を有する。これにより、標識領域２１の内表面は、フェイスマスク１００に対する滑り止め機能を有し得る。従って、標識領域２１を介して第１突出領域１２０を摘んでフェイスマスク１００を展開する際に、フェイスマスク１００が滑ることを抑制できる。その結果、濡れているフェイスマスク１００を容易に展開できる。
【００６７】
さらに、図１１に示すように、標識領域２１は、第１突出領域１２０の形状に対応する形状を有することが好ましい。具体的には、標識領域２１の形状は、第１突出領域１２０の広さを超えない形状であればよく、第１突出領域１２０の形状と略同一であってもよい。例えば、第１突出領域１２０が横長略扇形状である場合、標識領域２１は、横長略扇形状である。これにより、第１突出領域１２０の形状に合わせて、標識領域２１を拡大して配置できる。従って、包装袋１０を挟んで持つための領域を拡大できる。その結果、ユーザーが包装袋１０の外側から第１突出領域１２０を挟んで持ち損なうことを抑制できる。
【００６８】
さらに、第１幅Ｗ１は、第２幅Ｗ２よりも長いことが好ましい。第１幅Ｗ１は、突出方向Ｄ１に沿った方向における第１突出領域１２０の幅を示す。突出方向Ｄ１に沿った方向は、「第１方向」の一例に相当する。第２幅Ｗ２は、突出方向Ｄ２に沿った方向における第２突出領域１３０の幅を示す。突出方向Ｄ２に沿った方向は、「第２方向」の一例に相当する。これにより、収容状態２において、標識領域２１を第１突出領域１２０と重なるように配置し易い。従って、ユーザーが包装袋１０の外側から第１突出領域１２０を挟んで持ち損なうことを抑制できる。
【００６９】
さらに、取出し構造１１と、底部１２との間隔Ｃ５は、反対方向Ｄ１、Ｄ２に沿った方向における収容姿勢１００Ａの幅Ｑに対応していることが好ましい。具体的には、間隔Ｃ５は、第１部分周縁領域２２Ａと第２部分周縁領域２２Ｂとの間隔に相当する。収容状態２において、第１部分周縁領域２２Ａと第２部分周縁領域２２Ｂとは、包装袋１０内でフェイスマスク１００が移動することを規制する。従って、収容状態２において、標識領域２１と第１突出領域１２０との重なり合いがずれることを低減できる。その結果、ユーザーが包装袋１０の外側から第１突出領域１２０を挟んで持ち損なうことを抑制できる。
【００７０】
さらに、第３部分周縁領域２２Ｃと第４部分周縁領域２２Ｄとの間隔は、反対方向Ｄ１、Ｄ２と直交する方向における収容姿勢１００Ａの幅に対応していることが好ましい。収容状態２において、第３部分周縁領域２２Ｃと第４部分周縁領域２２Ｄとは、包装袋１０内でフェイスマスク１００が移動することを規制する。従って、収容状態２において、標識領域２１と第１突出領域１２０との重なり合いがずれることを更に低減できる。
【００７１】
さらに、図１２に示すように、第２シート部材３０は、第２標識領域３１を含むことが好ましい。図１２（ａ）に示すように、第２標識領域３１は、包装袋１０の外側から包装袋１０を挟んで持つための位置を示す。図１２（ｂ）に示すように、第２標識領域３１は、標識領域２１と厚み方向Ｄ３に重なる。第２標識領域３１は、標識領域２１と同様に構成され得る。これにより、第１シート部材２０の外表面と第２シート部材３０の外表面とのうち目視すべき面をユーザーが選択する煩雑さを低減できる。従って、包装袋１０からフェイスマスク１００を取り出す際のユーザーの利便性を向上させることができる。
【００７２】
以上、図面（図１〜図１２）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の材質、形状、寸法等は一例であって、特に限定されるものではなく、本発明の構成から実質的に逸脱しない範囲で種々の変更が可能である。
【００７３】
（１）図１〜図１２を参照して説明したように、第１突出領域１２０は、フェイスマスク１００の右端部１０５Ｂと外折り曲げ線１０８Ｒとの間の幅と、外折り曲げ線１０８Ｒと内折り曲げ線１０７Ｒとの間の幅との差によって構成されていた。さらに、第２突出領域１３０は、フェイスマスク１００の左端部１０５Ａと外折り曲げ線１０８Ｌとの間の幅と、外折り曲げ線１０８Ｌと内折り曲げ線１０７Ｌとの間の幅との差によって構成されていた。しかしながら、本発明はこれに限られない。第１突出領域１２０と第２突出領域１３０との各々は、収容姿勢１００Ａにおいて畳み領域１１０から突出しさえすればよい。例えば、第１突出領域１２０と第２突出領域１３０との両方又はいずれか一方は、フェイスマスク１００の外縁に固定された摘み部であってもよい。摘み部は、ユーザーが摘むことができる形状であればよく、例えば、矩形状のシートである。
【産業上の利用可能性】
【００７４】
本発明は、フェイスマスク包装体の分野に利用可能である。
【符号の説明】
【００７５】
１        フェイスマスク包装体
１０      包装袋
１００    フェイスマスク
１００Ａ  収容姿勢
１００Ｂ、１００Ｂ１、１００Ｂ２、１００Ｂ３、１００Ｂ４、１００Ｂ５  展開姿勢
１１０    畳み領域
１２０    第１突出領域
１３０    第２突出領域
２        収容状態
２０      第１シート部材
２１      標識領域
３０      第２シート部材
Ｄ１      反対方向、突出方向
Ｄ２      反対方向、突出方向
Ｄ３      厚み方向
【図１】
2020015522.tif 000003
【図２】
2020015522.tif 000004
【図３】
2020015522.tif 000005
【図４】
2020015522.tif 000006
【図５】
2020015522.tif 000007
【図６】
2020015522.tif 000008
【図７】
2020015522.tif 000009
【図８】
2020015522.tif 000010
【図９】
2020015522.tif 000011
【図１０】
2020015522.tif 000012
【図１１】
2020015522.tif 000013
【図１２】
2020015522.tif 000014